(57)【要約】【課題】空中散骨が失敗し落下してしまう可能性が少ない散骨用バルーン及び散骨方法を提供する。【解決手段】第１バルーン１に遺灰７を入れ、この第１バルーン１の中に第２バルーン３を位置させ、この第２バルーン３に注入ガス５を注入することで第１、第２バルーン１，３を重ねた状態でともに膨らませ、膨らませた第１、第２バルーン１，３の口９を閉じ、高々度において破裂させ、よって、空中で散骨する。このとき、外側の第１バルーン１だけが破裂し内側の第２バルーン３が破裂しない場合には、遺灰７は直ちに空中散骨される。逆に、高々度において、外側の第１バルーン１が破裂しないで内側の第２バルーン３だけが破裂した場合には、遺灰７は外側の第１バルーン１の中に残り、この第１バルーン１の浮力により落下しない。この第１バルーン１はさらに高度を上げ、やがて破裂し、無事、空中散骨がなされる。【選択図】図１
2013063126.tif 000002
【特許請求の範囲】
【請求項１】
遺灰を入れて高々度の空中で破裂させて散骨を行なうためのバルーンにおいて、遺灰を入れる第１バルーンと、この遺灰を入れた第１バルーンの中に位置させる第２バルーンと、この第２バルーンに注入することで前記第１バルーン及び前記第２バルーンを重ねた状態でともに膨らませる注入ガスと、を有することを特徴とする散骨用バルーン。
【請求項２】
バルーンに遺灰を入れて高々度の空中で破裂させて散骨を行なう散骨方法において、第１バルーンに遺灰を入れる第１手順と、この遺灰を入れた第１バルーンの中に第２バルーンを位置させる第２手順と、この第２バルーンに注入ガスを注入することで前記第１バルーン及び前記第２バルーンを重ねた状態でともに膨らませる第３手順と、膨らませた前記第１バルーン及び前記第２バルーンの口を閉じ、高々度において破裂させることで空中で散骨する第４手順と、を有することを特徴とする散骨方法。
【発明の詳細な説明】
【技術分野】
【０００１】
この発明は、バルーンに遺灰を入れて高々度の空中で破裂させて散骨を行なう散骨方法及び散骨用バルーンの構造に関する。
【背景技術】
【０００２】
人やペットが亡くなった後に自然の中に散骨する自然葬を行なうことが多くなっている。従来のお墓への埋葬に比べ、墓地の取得費用や管理費用などにより家族に負担をかけることがない、という理由のみならず、狭い墓地の中ではなく、広い自然に還りたいという希望もかなえられるためである。
【０００３】
下記特許文献１では、自然葬として空中放散を行なうためのバルーンの構造が記載される。遺灰を入れた小さなバルーンを、より大きなバルーンへ入れ、さらにへリウムガスを注入し、バルーンの口を閉じて、高々度の空中へ飛ばす。そして、例えば高度約８０００ｍに達すると、気温は−４０°Ｃ、気圧は地上の約１／３程度になるため、バルーンの体積は７倍程度に膨張し、さらに低温による脆性破壊を引き起こし、破裂して、遺灰を空中に放散する。遺灰は空中、海中あるいは山野に散り自然に回帰する。
【先行技術文献】
【特許文献】
【０００４】
【特許文献１】特開２００６−６１２４５
【発明の概要】
【発明が解決しようとする課題】
【０００５】
しかしながら、上記特許文献１では、外側の大きなバルーンが破裂した際に、その中に入れられた小さなバルーンが破裂しなかった場合、小さなバルーンは遺灰が入っていて浮力が少ないため、遺灰の重さで落下する可能性がある。遺灰の重さは通常約1〜2kg程となり、落下した場合、大変危険である。
【０００６】
この発明は、以上の問題点を解決するために、落下の可能性が少ない散骨用バルーン及びそのような散骨用バルーンを用いた散骨方法を提供することを目的とする。
【課題を解決するための手段】
【０００７】
以上の課題を解決するために、第一発明は、遺灰を入れて高々度の空中で破裂させて散骨を行なうためのバルーンにおいて、遺灰を入れる第１バルーンと、この遺灰を入れた第１バルーンの中に位置させる第２バルーンと、この第２バルーンに注入することで前記第１バルーン及び前記第２バルーンを重ねた状態でともに膨らませる注入ガスと、を有することを特徴とする散骨用バルーンである。
【０００８】
第二発明は、バルーンに遺灰を入れて高々度の空中で破裂させて散骨を行なう散骨方法において、第１バルーンに遺灰を入れる第１手順と、この遺灰を入れた第１バルーンの中に第２バルーンを位置させる第２手順と、この第２バルーンに注入ガスを注入することで前記第１バルーン及び前記第２バルーンを重ねた状態でともに膨らませる第３手順と、膨らませた前記第１バルーン及び前記第２バルーンの口を閉じ、高々度において破裂させることで空中で散骨する第４手順と、を有することを特徴とする散骨方法である。
【発明の効果】
【０００９】
第一、又は第二発明によれば、遺灰は、内側の第１バルーンと外側の第２バルーンの間に位置する。そして、高々度において、外側の第１バルーンだけが破裂し内側の第２バルーンが破裂しない場合には、遺灰は直ちに空中散骨される。内側の第２バルーンはさらに高度を上げ、やがて破裂する。
【００１０】
逆に、高々度において、外側の第１バルーンが破裂しないで内側の第２バルーンだけが破裂した場合には、遺灰は外側の第１バルーンの中に残り、この第１バルーンの浮力により落下しない。この第１バルーンはさらに高度を上げ、やがて破裂し、無事、空中散骨がなされる。
【００１１】
また、第１バルーンと第２バルーンが同時に破裂したときにも無事、空中散骨がなされる。
また、第１バルーンと第２バルーンがともに破裂しないときには、さらに高度を上げ、やがて、上記３つのうちのいずれかの空中散骨が行なわれる。
このようにして、遺灰を入れたバルーンがそのまま落下する可能性が少ない安全な散骨用バルーン及び散骨方法を提供できる。
【図面の簡単な説明】
【００１２】
【図１】この発明の一実施形態を示すもので、（Ａ）は、遺灰を入れた第１バルーンの断面図、（Ｂ）は、（Ａ）の遺灰を入れた第１バルーンの中に第２バルーンを位置させた状態の断面図、（Ｃ）はこの第２バルーンに注入することで第１バルーン及び第２バルーンを重ねた状態でともに膨らませた状態の断面図である。
【発明を実施するための形態】
【００１３】
この発明の実施形態を、図１に示す。
この実施形態に係る散骨用バルーン及び散骨方法について説明する。
まず、ほぼ同じ大きさでゴム製の第１バルーン１と第２バルーン３を用意する。ゴムは、天然ゴムでも合成ゴムでも構わない。外側になる第１バルーン１の方がやや大きいことが望ましい。注入ガス５は、空気よりの比重が軽く安全なヘリウムガスを用意する。
【００１４】
遺骨は、骨粉砕機等により粉砕し遺灰７とする。遺灰７は、粒径が数ｍｍ以下とされる。スプーンや漏斗を利用して、第１バルーン１に入れる（図１（Ａ））。入れる作業は、第１バルーン１にはガスを注入しない状態で、口をリング状の金具などで広げた状態で行える。
【００１５】
次に、この遺灰７を入れた第１バルーン１の中に第２バルーン３を挿入し位置させる（図１（Ｂ））。第１バルーン１と第２バルーン３の口９をほぼ同じ位置に合わせる。
そして、第２バルーン３へ注入ガス５を注入する。注入には、図示しないヘリウムガスボンベに接続されたガスホースの先に備えられるガスガンが用いられる。ガスガンの先端を、合わせた第１バルーン１と第２バルーン３の口９の中に入れ、ガスガンのトリガーを引いて注入を行なう。
【００１６】
これにより第１バルーン及び第２バルーン３を重ねた状態で、ともに膨らませることができる。その際、第１バルーン及び第２バルーン３を揺すりながら膨らませ、両者の間に遺灰７を均等に位置させ、遺灰７と両者とをいわば一体構造とする。
膨らんだ第１バルーン及び第２バルーン３の間に遺灰７が位置し、いわばサンドイッチ状態になる。このとき第１バルーン及び第２バルーン３の間は、空気が第２バルーン３の膨張により押し出され、真空に近い状態になる。
【００１７】
膨らませた第１バルーン及び第２バルーン３の口９を紐１１等で結び閉じる。そして、山奥、船上、あるいは小型飛行機の上で、バルーンを手から離す。バルーンは、空気よりも軽いので、空中を上昇し、しばらく時間がったった後に、高々度において破裂し、遺灰７は空中で細かくばらまかれ、これにより散骨が行なわれる。
【００１８】
「実施形態の効果」
以上説明したように、空中散骨時において、遺灰７は、内側の第１バルーン１と外側の第２バルーン３の間にサンドイッチ状態に位置する。
（１）そして、空中の予定の高々度において、外側の第１バルーン１だけが破裂し内側の第２バルーン３が破裂しない場合には、遺灰７は直ちに空中散骨される。内側の第２バルーン３はさらに高度を上げ、やがて破裂する。
【００１９】
（２）逆に、予定の高々度において、外側の第１バルーン１が破裂しないで内側の第２バルーン３だけが破裂した場合には、遺灰７は外側の第１バルーン１の中に残り、この第１バルーン１の浮力により落下しない。この第１バルーン１はさらに高度を上げ、やがて破裂し、無事、空中散骨がなされる。
【００２０】
（３）また、第１バルーン１と第２バルーン３が同時に破裂したときにも無事、空中散骨がなされる。そして、遺灰７が位置する第１バルーン及び第２バルーン３の間は、真空に近い状態になり、遺灰７、第１バルーン１、第２バルーン３とをいわば一体構造とすることができるので、同時に破裂する可能性が高い。
【００２１】
（４）また、予定の高々度において、第１バルーン１と第２バルーン３がともに破裂しないときには、さらに高度を上げ、やがて、上記３つ（１）（２）（３）のうちのいずれかの空中散骨が行なわれる。
このようにして、遺灰７を入れたバルーンがそのまま落下する可能性は、ほぼなくなる。よって安全な散骨用バルーン及び散骨方法を提供できる。
【００２２】
「他の実施形態」
以上の実施形態では、注入ガス５はヘリウムガスであったが、他の実施形態では、空気よりの比重が軽いガスであれば使用できる。
【符号の説明】
【００２３】
１…第１バルーン、３…第２バルーン、５…注入ガス、７…遺灰、９…口、１１…紐。
【図１】
2013063126.tif 000003
【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
遺灰を入れて高々度の空中で破裂させて散骨を行なうためのバルーンにおいて、遺灰を入れる第１バルーンと、この遺灰を入れた第１バルーンの中に位置させる第２バルーンと、この第２バルーンに注入することで前記第１バルーン及び前記第２バルーンを重ねた状態とし前記両バルーンを間に遺灰を位置させたサンドイッチ状態の一体構造でともに膨らませる注入ガスと、を有することを特徴とする散骨用バルーン。
【請求項２】
バルーンに遺灰を入れて高々度の空中で破裂させて散骨を行なう散骨方法において、第１バルーンに遺灰を入れる第１手順と、この遺灰を入れた第１バルーンの中に第２バルーンを位置させる第２手順と、この第２バルーンに注入ガスを注入することで前記第１バルーン及び前記第２バルーンを重ねた状態とし前記両バルーンを間に遺灰を位置させたサンドイッチ状態の一体構造でともに膨らませる第３手順と、膨らませた前記第１バルーン及び前記第２バルーンの口を閉じ、高々度において破裂させることで空中で散骨する第４手順と、を有することを特徴とする散骨方法。